(57)【要約】【課題】通気孔を介してよごれがマッサージ装置の内部に入ることがなく、耐久性が増加したマッサージ装置を提供する。【解決手段】マッサージ装置は、出力軸（３）を駆動するモータ（２）が内蔵されたハウジング（１）を備え、この出力軸（３）にはマッサージ機構が取り付けられ、前記ハウジングは少なくとも通気孔（８）を有している。マッサージ装置は、この通気孔（８）が前記出力軸（３）と同軸となっており、当該通気孔（８）の寸法が前記出力軸（３）の断面よりも大きくなっていることを特徴とする。【選択図】図１
0003126307.tif 000002
【実用新案登録請求の範囲】
【請求項１】
出力軸（３）を駆動するモータ（２）が内蔵されたハウジング（１）を備え、
この出力軸（３）にはマッサージ機構が取り付けられ、
前記ハウジングは少なくとも通気孔（８）を有しており、
この通気孔（８）は前記出力軸（３）と同軸となっており、当該通気孔（８）の寸法は前記出力軸（３）の断面よりも大きくなっていることを特徴とするマッサージ装置。
【請求項２】
前記出力軸（３）は、密閉された減速ボックス（５）の中でモータ（４）の軸に連結されていることを特徴とする請求項１記載のマッサージ装置。
【請求項３】
前記出力軸（３）の周りに配置された絶縁体のベアリング（６）を更に備えたことを特徴とする請求項１記載のマッサージ装置。
【請求項４】
前記ベアリング（６）は、回転防止用の歯（７）を有することを特徴とする請求項３記載のマッサージ装置。
【請求項５】
前記モータ（２）は複数の弾性支持体（９）によりハウジング（１）に固定されていることを特徴とする請求項１記載のマッサージ装置。
【考案の詳細な説明】
【技術分野】
【０００１】
本考案は、マッサージ機構がモータにより駆動されるような手持ち式のマッサージ装置に関する。
【背景技術】
【０００２】
現在、例えばフランス特許公開公報ＦＲ−Ａ−１，２６２，１６０や欧州特許公開公報ＥＰ−Ａ−０７１４６５０に記載されるマッサージ装置のような、様々なマッサージ装置がある。
【０００３】
フランス特許公開公報ＦＲ−Ａ−１，２６２，１６０に開示される装置は、モータと、モータにより回転駆動される駆動シャフトと、マッサージ機構を支持し中央せん孔を有するマッサージヘッドと、を備えている。この中央せん孔により、マッサージヘッドを駆動シャフトの周りにセットすることができるようになっている。この装置は、マッサージヘッドを駆動シャフトと一体的に回転自在とするのに用いられるマッサージヘッドの支持手段を更に備えている。
【０００４】
欧州特許公開公報ＥＰ−Ａ−０７１４６５０に開示される装置は、マッサージヘッドに上方および下方の停止機構を与えるようなエンドレス・スクリュー減速機に接続されたＤＣモータにより特徴づけられている。これらの上方および下方の停止機構は、マッサージヘッドに軸方向の移動を行わせるよう配置されている。マッサージヘッドは、モータシャフトに対して角運動を行わせるような中央せん孔を有している。
【考案の開示】
【考案が解決しようとする課題】
【０００５】
過去１５年間展開されているフランス特許公開公報ＦＲ−Ａ−１，２６２，１６０に開示される装置、および過去５年間展開されている欧州特許公開公報ＥＰ−Ａ−０７１４６５０に開示される装置の商業的販売において、これらのマッサージ装置の弱点が実証されている。この弱点は、マッサージ装置の機構の耐久性、適用の範囲の制限、個人レベルでの適切な使用における人間工学の欠如、および欧州共同体やアメリカでの義務的な公的資格の要求を満足することに関する困難性に関連している。さらに、美容分野におけるマッサージの他の適用の発見は、職業レベルおよび個人レベルの両方においてマッサージ装置の潜在的ユーザのニーズを増加させた。
【０００６】
これらのニーズは、装置の質的な適用範囲や結果、また、職業的または個人でのユーザに提供されるサービスに直接的に関連している。
【０００７】
例えば、良好なマッサージに多くの利点を見いだす人々が観察されていた。これらの人々は、できる限り多くマッサージを楽しもうとしており、長持ちして耐久性がある装置を求めている。また、職業的レベルにおいて、理学療法士、美容および温泉センターは、作動力を低減させて効果を増大することができるマッサージ装置を求めている。このため、このようなマッサージ装置は、一週間のうち毎日、数時間の間、連続的に使用することができるような高水準の品質を提供しなければならない。装置におけるこのような集中的な使用は、握りやすいようにするために、その形状におけるより良い人間工学を必要とする。
【０００８】
装置の耐久性に関して観察される問題点は、たいていの場合このような装置が出力軸の周りで複数の通気孔を有することにある。これらの孔はマッサージ機構のすぐ近傍に配置され、混入物質がこの孔を介して装置の中に入ってしまい、モータの動作にダメージを与えてしまう。
【課題を解決するための手段】
【０００９】
本考案のマッサージ装置においては、このような問題が解決されており、以下に記載されるような他の利点がある。
【００１０】
本考案のマッサージ装置は、出力軸を駆動するモータが内蔵されたハウジングを備え、この出力軸にはマッサージ機構が取り付けられ、前記ハウジングは少なくとも通気孔を有しており、この通気孔は前記出力軸と同軸となっており、当該通気孔の寸法は前記出力軸の断面よりも大きくなっていることを特徴とする。
【００１１】
このことにより、よごれが上記通気孔を通過してマッサージ装置の内部に入ることができなくなり、装置の耐久性を増加させることができる。
【００１２】
さらに、押圧されたときに、この孔はモータ減速ボックスおよびマッサージ機構を揺らすことができ、圧力が解放されたときに元の位置に戻すことができる。
【００１３】
出力軸は、密閉された減速ボックスの中でモータの軸に連結されていることが好ましい。この組合せ体は、両方の軸の完全な連結および位置合わせを確実にする。また、減速ボックスが密閉されるようシールされていることにより、ギアを滑らかにすることができ、長持ちするようになる。また、装置の騒音が低くなり、混入物質の侵入を防止することができる。
【００１４】
本考案のマッサージ装置は、前記出力軸の周りに配置された絶縁体のベアリングを更に備え、電気的な安全性を向上させることが好ましい。
【００１５】
このベアリングは回転防止用の歯を有しており、このことにより減速ボックスに対する完全な固定を行うことができるようになり、故障のリスクが減少する。
【００１６】
前記モータは複数の弾性支持体によりハウジングに固定されていることがより好ましい。
【００１７】
本考案のマッサージ装置により、効率的な、ユーザフレンドリーの、信頼性が高く耐久性のあるマッサージ装置が得られる。このマッサージ装置は、職業レベルおよび個人レベルの両方で使用することができる。
【考案を実施するための最良の形態】
【００１８】
記載内容についてのより良い理解のために、図式的に図面が添付されており、実施の形態における実際上の事例が示されている。なお、この図は、非制限的な例に過ぎない。
【００１９】
図面から理解できるように、本考案のマッサージ装置は外部ハウジング１を備えており、その中には、出力軸３を駆動するモータ２が収容されている。この出力軸３はハウジング１の外方に延伸しており、その端部に複数のマッサージ機構（図示せず）を有している。これらのマッサージ機構は取り替え可能であることが好ましい。
【００２０】
モータ２は、駆動軸４を有している。この駆動軸４は、密閉状態でシールされ好ましくは金属製である減速ボックス５の中で出力軸３に連結されている。
【００２１】
出力軸３は、例えばナイロン等からなる絶縁体のベアリング６を中心として回転する。このベアリング６は、回転防止用の歯７を有しており、この歯７により、減速ボックスに対する完全な連結が行われるようになっている。
【００２２】
このような出力軸３は、孔８を通ってハウジングの外側に延伸している。この孔は通気孔として用いられる。このため、通気孔８は出力軸３と同軸となっている。このことを達成するために、通気孔８の寸法は出力軸３の断面よりも大きくなっている。
【００２３】
上述のように、この通気孔８の構成により、既に知られているこの種のマッサージ装置にあるような他の通気孔を含むことが不要となる。よごれがこの通気孔８を通ってマッサージ装置の内部に入ることが抑止される。
【００２４】
全てのこの組合せ体は、複数の弾性支持体９（図面では、一つのみを表示する）によって外部ハウジング１に固定されたブロックを形成するモータ２に取り付けられている。
【００２５】
本考案のマッサージ装置の他の特徴は、遠心分離機の中で糸を破壊しこれらを軸に押し付け光沢をつけるよう、モータが曲がっていることにある。このことにより、より故障しにくくなる。
【００２６】
例えばブラシ、ベアリングおよびフィルター等のような、本考案のマッサージ装置におけるいくつかの構成要素は取り替え可能である。
【００２７】
図面には示されていないが、ハウジング１の外部部分において、４５°に傾いておりユーザにとってより握りやすくなっているようなハンドルが形作られていることが指摘されなければならない。
【００２８】
本考案の実施の形態が記載されているが、当業者にとって、上述のマッサージ装置に対して様々の変形および修正を行うことができ、添付のクレームにより定義される保護の範囲から離れない限りにおいて、前述の全ての詳細事項は他の技術的に均等なものにより置き換えることができることは明らかであろう。
【図面の簡単な説明】
【００２９】
【図１】本考案のマッサージ装置の断面図である。
【図１】
0003126307.tif 000003